(57)【特許請求の範囲】
【請求項１】
複数の枠体をこれらの長手方向の端部で突き合わせることによって環状に形成され外周部に凹部が形成されている枠体集合体と、前記枠体集合体の凹部内に設けられ前記各枠体を一体的に連結する枠体連結体とを有し、前記枠体は４本であり、前記枠体集合体は矩形な環状に形成されており、前記枠体連結体は前記枠体の端部で前記枠体に着脱自在に設けられているフィルタ枠において、
前記枠体は、断面が中央線及び左右縦線からなる「Ｈ」字状である「Ｈ」字状部と、断面がそれぞれ「Ｌ」字状である一対の「Ｌ」字状部とで形成されており、
前記各「Ｌ」字状部のうちの一方の「Ｌ」字状部である第１の「Ｌ」字状部は、一方の辺部が横方向に延び、他方の辺部が上下方向に延び、前記一方の辺部の長手方向の中間部が前記「Ｈ」字状部の左側の縦線の上端に連結し、前記他方の辺部が前記「Ｈ」字状部の左側で前記「Ｈ」字状部から離れ前記「Ｈ」字状部の下方に延出して、前記「Ｈ」字状部に設けられており、
前記各「Ｌ」字状部のうちの他方の「Ｌ」字状部である第２の「Ｌ」字状部は、一方の辺部が横方向に延び、他方の辺部が上下方向に延び、前記一方の辺部の長手方向の中間部が前記「Ｈ」字状部の右側の縦線の上端に連結し、前記他方の辺部が前記「Ｈ」字状部の左側で前記「Ｈ」字状部から離れ前記「Ｈ」字状部の下方に延出して、前記「Ｈ」字状部に設けられており、前記「Ｈ」字状部の中心を上下方向に通る直線に対して前記第１の「Ｌ」字状部に線対称に設けられており、
前記凹部は、前記「Ｈ」字状部の左側縦線、前記「Ｈ」字状部の右側縦線、前記「Ｈ」字状部の中央線、前記第１の「Ｌ」字状部の横方向に延びた一方の辺部及び前記第２の「Ｌ」字状部の横方向に延びた一方の辺部に囲まれた部位である
ことを特徴とするフィルタ枠。
【請求項２】
請求項１記載のフィルタ枠において、
前記枠体集合体の凹部には、他のフィルタ枠に接続するためのフィルタ枠連結体が設置されており、
前記フィルタ枠連結体を用いて、前記他のフィルタ枠に接続した場合、前記他のフィルタ枠への接続部では、前記他のフィルタ枠に対して密着する
ことを特徴とするフィルタ枠。
【発明の詳細な説明】
【技術分野】
【０００１】
本発明は、フィルタ枠に係り、たとえば、エアフィルタ本体が内側に設置された状態で、空調機に設置され使用されるものに関する。
【背景技術】
【０００２】
従来、金属板をプレス加工しもしくは金属の材料を押し出し加工することによって、断面が「コ」字状になっている４本の枠体を「ロ」字状に組み合わせて矩形な環状のフィルタ枠を生成している。
【０００３】
従来のフィルタ枠では、「コ」字状の断面をした枠体のリブ部がフィルタ枠の内側を向いている。すなわち、枠体断面の「コ」の文字のうちで上下方向に延びている直線部に対応する部位が、フィルタ枠の外周を形成しており、枠体断面の「コ」の文字のうちで上側と下側とで左右方向に延びている２本の直線部に対応する部位が、「ロ」字状のフィルタ枠の内側に突出している。
【０００４】
また、従来のフィルタ枠の内側には、四角柱状に形成されたエアフィルタ本体が設置されるようになっている。エアフィルタ本体が設置されたフィルタ枠（エアフィルタユニット）は、空調機に設置されて使用されるようになっている。
【０００５】
なお、従来の技術の関する特許文献として、たとえば、特許文献１を掲げることができる。
【先行技術文献】
【特許文献】
【０００６】
【特許文献１】特開２００６−１１０５３０号公報
【発明の概要】
【発明が解決しようとする課題】
【０００７】
ところで、従来のフィルタ枠では、枠体同士を接続するための金具やビスの頭等が、フィルタ枠の外周に突出する場合がある。
【０００８】
この突出によって、フィルタ枠の外周が平坦でなくなり、エアフィルタユニットを空調機に設置したときに隙間が発生するという問題がある。すなわち、フィルタ枠の外周にビスの頭等の突出があると、この突出によって、空調機に設置された枠の外周と空調機（空調機のエアフィルタユニット設置部）との間に隙間が発生する。そして、エアフィルタ本体を通らない空気の流れが僅かではあるが発生する。
【０００９】
この問題は、２つ以上のフィルタ枠を並列につなげて横並びに配置した場合（たとえば、図９参照）にも発生する。
【００１０】
ビスの頭等をフィルタ枠の外周に突出させないために、ビスの頭等を枠体（フィルタ枠）の内側に配置する方式を採用することが考えられるが、ビスの頭等を枠体の内側に配置すると、このビスの頭等が四角柱状のエアフィルタ本体と干渉してしまうという不具合が発生する。この不具合を解消するためにエアフィルタ本体に切り欠きを設けることは、エアフィルタ本体の製造コストが上昇したりエアー漏れ発生の要因になったりするので、一般的に採用し難い。
【００１１】
枠体同士を接着や圧入によって組立てることにすると、フィルタ枠の内側に設置されたエアフィルタ本体の交換がしづらくなる。
【００１２】
また、空調機のエアフィルタユニットの設置部に凹部を設けて、この凹部にフィルタ枠の外周から突出しているビスの頭等を収納する方式を採用することも考えられる。しかし、エアフィルタユニットの設置部に凹部を設けたとしても、エアフィルタユニットを設置する途中の状態で、フィルタ枠の外周から突出しているビスの頭等が、エアフィルタユニット設置部の平面（凹部以外の部位）に引っかかり、エアフィルタユニットの設置がしづらくなる等の弊害が発生する。さらに、エアフィルタ枠外周におけるビスの頭等の形態に応じて空調機のエアフィルタユニット設置部に凹部を設けることは、既存の空調機には採用し難い等の弊害がある。
【００１３】
本発明は、前記問題点に鑑みてなされたものであり、複数の枠体を組立てて環状に形成されたフィルタ枠において、外周部での突出をなくすことで、空調機等の機器に設置したときに、外周に隙間が発生することを回避するフィルタ枠を提供することを目的とする。
【課題を解決するための手段】
【００１６】
請求項１に記載の発明は、複数の枠体をこれらの長手方向の端部で突き合わせることによって環状に形成され外周部に凹部が形成されている枠体集合体と、枠体集合体の凹部内に設けられ各枠体を一体的に連結する枠体連結体とを有し、枠体は４本であり、枠体集合体は矩形な環状に形成されており、枠体連結体は枠体の端部で枠体に着脱自在に設けられているフィルタ枠において、枠体は、断面が中央線及び左右縦線からなる「Ｈ」字状である「Ｈ」字状部と、断面がそれぞれ「Ｌ」字状である一対の「Ｌ」字状部とで形成されており、各「Ｌ」字状部のうちの一方の「Ｌ」字状部である第１の「Ｌ」字状部は、一方の辺部が横方向に延び、他方の辺部が上下方向に延び、一方の辺部の長手方向の中間部が「Ｈ」字状部の左側の縦線の上端に連結し、他方の辺部が「Ｈ」字状部の左側で「Ｈ」字状部から離れ「Ｈ」字状部の下方に延出して、「Ｈ」字状部に設けられており、各「Ｌ」字状部のうちの他方の「Ｌ」字状部である第２の「Ｌ」字状部は、一方の辺部が横方向に延び、他方の辺部が上下方向に延び、一方の辺部の長手方向の中間部が「Ｈ」字状部の右側の縦線の上端に連結し、他方の辺部が「Ｈ」字状部の左側で「Ｈ」字状部から離れ「Ｈ」字状部の下方に延出して、「Ｈ」字状部に設けられており、「Ｈ」字状部の中心を上下方向に通る直線に対して第１の「Ｌ」字状部に線対称に設けられており、凹部は、「Ｈ」字状部の左側縦線、「Ｈ」字状部の右側縦線、「Ｈ」字状部の中央線、第１の「Ｌ」字状部の横方向に延びた一方の辺部及び第２の「Ｌ」字状部の横方向に延びた一方の辺部に囲まれた部位であるフィルタ枠である。
【００１７】
請求項２に記載の発明は、請求項１に記載のフィルタ枠において、枠体集合体の凹部には、他のフィルタ枠に接続するためのフィルタ枠連結体が設置されており、フィルタ枠連結体を用いて、他のフィルタ枠に接続した場合、他のフィルタ枠への接続部では、他のフィルタ枠に対して密着するフィルタ枠である。
【発明の効果】
【００１８】
本発明によれば、複数の枠体を組立てて環状に形成されたフィルタ枠において、外周部での突出をなくすことで、空調機等の機器に設置したときに、外周に隙間が発生することを回避することができるという効果を奏する。
【図面の簡単な説明】
【００１９】
【図１】エアフィルタが設置されたフィルタ枠（エアフィルタユニット）を示す斜視図である。
【図２】エアフィルタユニットの構成を示す正面図、左右の側面図、平面図、底面図である。
【図３】枠体の構成を示す正面図、側面図、平面図である。
【図４】枠体連結体の構成を示す正面図、平面図である。
【図５】図４におけるＶ矢視図である。
【図６】図４におけるＶＩ−ＶＩ断面を示す図である。
【図７】固定片の構成を示す正面図、側面図である。
【図８】フィルタ枠連結体の構成を示す正面図、側面図、平面図である。
【図９】２つのフィルタ枠をつなげた状態を示す斜視図である。
【図１０】図９のＸ部でのＸ−Ｘ断面を示す図である。
【図１１】図１０におけるＸＩ矢視図である。
【図１２】図１０におけるＸＩＩ矢視図である。
【図１３】枠体連結体を用いて、枠体同士をお互いに接続する前の状態を示す図である。
【図１４】図９のＸＩＶ部でのＸＩＶ−ＸＩＶ断面を示す図である。
【図１５】フィルタ枠連結体を用いて、エアフィルタユニット（フィルタ枠）同士をお互いに接続する前の状態を示す図である。
【図１６】図１５におけるＸＶＩ矢視図である。
【発明を実施するための形態】
【００２０】
エアフィルタ本体１が設置されたフィルタ枠３（エアフィルタユニット５）は、図示しない空調機等の機器に設置されて使用されるものである。エアフィルタユニット５が空調機に設置された状態で空調機を稼動すると、エアフィルタユニット５のエアフィルタ本体１を空気が通過し、空気中に含まれている塵埃がエアフィルタ本体１で捕捉されるようになっている。
【００２１】
図１、図２（ｂ）等で示すように、フィルタ枠（エアフィルタ枠）３は、枠体集合体７と枠体連結体９とを備えて構成されている。枠体集合体７は、直線的な棒状に形成された複数の枠体１１をこれらの長手方向の端部で適宜突き合わせることによって、多角形状な（たとえば矩形な）環状に形成されている。また、枠体集合体７の外周部には、枠体集合体７の内側（中心側）に凹んでいる凹部１３が形成されている。
【００２２】
枠体１１は、たとえば、アルミウニムやこの合金等の金属、または樹脂で構成されており、押し出し成型によって形成されている。そして、枠体１１は、この長手方向に対して直交する平面による断面が一定な所定形状になっている。また、詳しくは後述するが、凹部１３は、枠体１１の断面形状が所定形状になっていることによって形成されている。
【００２３】
枠体連結体９は、たとえば平板状の金属（鋼のミガキ材等）の素材をプレス加工にすることで生成されている。また、枠体連結体９は、枠体集合体７の凹部１３内に設けられ（凹部１３内で各枠体１１の長手方向の端部に設けられ）、各枠体１１を一体的に連結している。枠体連結体９を用いることで、この枠体連結体９とともに、枠体集合体７（各枠体１１）が一体的に組立てられ、環状のフィルタ枠３が生成される。
【００２４】
枠体１１をこの長手方向から見ると、図３（ｂ）等で示すような所定形状になっている。なお、枠体１１の断面（長手方向に対して直交する平面による断面）の形状も、図３（ｂ）等で示すような所定形状になっている。
【００２５】
枠体１１はたとえば４本使用されており、枠体集合体７は、矩形な環状に形成されている。すなわち、フィルタ枠３（枠体集合体７）を環状の枠体集合体７の中央を貫通している貫通孔１５の貫通方向から見ると、図２（ｂ）等で示すように、フィルタ枠３の外周は、長方形状や正方形状に形成されており、枠体連結体９は、図２（ａ）〜（ｄ）で示すように、枠体集合体７の角部のところで枠体集合体７の外周の内側に存在している。なお、図２（ｂ）では、矩形な貫通孔１５のところにエアフィルタ本体１が設置されている。
【００２６】
枠体集合体７（フィルタ枠３）の外周には、図２等で示すように、環状の接触面１７が形成されている。環状の接触面１７は、エアフィルタ本体１が設置されたフィルタ枠３（エアフィルタユニット５）を、空調機に設置した場合、空調機の環状の設置面と面接触する面である。エアフィルタユニット５を空調機に設置することで、枠体集合体７（エアフィルタユニット５）の接触面１７と空調機の設置面とがお互いに面接触し、枠体集合体７の接触面１７と、空調機の設置面との間では空気が通過せず、エアフィルタ本体１のみを通って空気が流れるようになっている。
【００２７】
枠体連結体９は、枠体１１の端部同士が着脱自在になっている。
【００２８】
詳しく説明すると、図２等で示すように、４本の枠体１１のそれぞれが矩形の４辺のそれぞれを構成して、枠体集合体７が矩形な環状に形成されている。４本の枠体１１のそれぞれを、第１の枠体１１Ａ、第２の枠体１１Ｂ、第３の枠体１１Ｃ、第４の枠体１１Ｄとすると、第２の枠体１１Ｂの長手方向が第１の枠体１１Ａの長手方向と直交するようにして、第１の枠体１１Ａの長手方向の一方の端部から第２の枠体１１Ｂが延出している。
【００２９】
また、第１の枠体１１Ａの長手方向の他方の端部から第４の枠体１１Ｄが第２の枠体１１Ｂと平行に延出している。第３の枠体１１Ｃは、第１の枠体１１Ａと平行になっており（第１の枠体１１Ａの長手方向と第３の枠体１１Ｃの長手方向とがお互いに一致しており）、第３の枠体１１Ｃの長手方向の一方の端部が、第２の枠体１１Ｂの端部（第１の枠体１１Ａとは反対側の端部）に係合しており、第３の枠体１１Ｃの長手方向の他方の端部が、第４の枠体１１Ｄの端部（第１の枠体１１Ａとは反対側の端部）に係合している。
【００３０】
枠体集合体７が、正方形の環状である場合には、４本の枠体１１はお互いが同形状になっている。枠体集合体７が、長方形の環状である場合には、第１の枠体１１Ａと第３の枠体１１Ｃとはお互いが同形状になっている。第２の枠体１１Ｂは、断面（長手方向に対して直交する平面による断面）の形状が第１の枠体１１Ａと同じであって、長さが第１の枠体１１Ａよりも短い形状になっている。第２の枠体１１Ｂと第４の枠体１１Ｄとはお互いが同形状になっている。
【００３１】
枠体連結体９も、第１の枠体連結体９Ａ、第２の枠体連結体９Ｂ、第３の枠体連結体９Ｃ、第４の枠体連結体９Ｄの４つになっている。
【００３２】
第１の枠体連結体９Ａは、第１の枠体１１Ａと第２の枠体１１Ｂとを一体的に連結しており、第２の枠体連結体９Ｂは、第２の枠体１１Ｂと第３の枠体１１Ｃとを一体的に連結しており、第３の枠体連結体９Ｃは、第３の枠体１１Ｃと第４の枠体１１Ｄとを一体的に連結しており、第４の枠体連結体９Ｄは、第４の枠体１１Ｄと第１の枠体１１Ａとを一体的に連結している。
【００３３】
また、第１の枠体連結体９Ａは、一方の側の部位が、ボルト等の締結具を用いて第１の枠体１１Ａに一体的に設けられており、他方の側の部位が、この部位の弾性等を利用することで、第２の枠体１１Ｂに容易に着脱自在になっている（詳細は後述）。
【００３４】
第２の枠体連結体９Ｂは、一方の側の部位が、ボルト等の締結具を用いて第２の枠体１１Ｂに一体的に設けられており、他方の側の部位も、ボルト等の締結具を用いて第３の枠体１１Ｃに一体的に設けられている。
【００３５】
第３の枠体連結体９Ｃは、第２の枠体連結体９Ｂと同様にして、一方の側の部位が、ボルト等の締結具を用いて第３の枠体１１Ｃに一体的に設けられており、他方の側の部位も、ボルト等の締結具を用いて第４の枠体１１Ｄに一体的に設けられている。
【００３６】
第４の枠体連結体９Ｄは、第１の枠体連結体９Ａと同様にして、一方の側の部位が、ボルト等の締結具を用いて第１の枠体１１Ａに一体的に設けられており、他方の側の部位が、この部位の弾性等を利用することで、第４の枠体１１Ｄに容易に着脱自在になっている。
【００３７】
各枠体連結体９が上述したように、各枠体１１を連結していることで、「ロ」字状（矩形な環状）に形成されている枠体集合体７（フィルタ枠３）構成している４つの枠体１１のうちの１つの枠体１１（第１の枠体１１Ａ）が、他の枠体１１（第２の枠体１１Ｂ、第３の枠体１１Ｃ、第４の枠体１１Ｄ）に対して、容易に着脱自在になっている。すなわち、「ロ」字状のフィルタ枠３を、「Ｉ」字状の部位と「コ」字状の部位とに容易に分離することができるようになっている。
【００３８】
ここで、枠体１１の断面（長手方向に対して直交する平面による断面）の形状について詳しく説明する。
【００３９】
枠体１１の断面は、図３（ｂ）で示すように、１つの「Ｈ」字状部１９と、この「Ｈ」字状部１９に設けられている（２つの）一対の「Ｌ」字状部２１とで形成されている。ここで、断面の形状をさらに説明するときに、上下左右という文言を使用しているが、この上下左右は、「Ｈ」の文字におけるものとする。
【００４０】
各「Ｌ」字状部２１のうちの一方の「Ｌ」字状部である第１の「Ｌ」字状部２１Ａは、この一方の辺部（直線状の辺部）が「Ｈ」字状部１９の横方向に延び、この一方の辺部に直交している他方の辺部（直線状の辺部）が「Ｈ」字状部１９の上下方向に延びている。
【００４１】
また、第１の「Ｌ」字状部２１Ａの一方の辺部の長手方向の中間部が「Ｈ」字状部１９の左側の縦線（上下方向に延びた直線状部位）の上端と係合し、第１の「Ｌ」字状部２１Ａの他方の辺部が、前記「Ｈ」字状部１９の左側で「Ｈ」字状部１９から離れ、第１の「Ｌ」字状部２１Ａの一方の辺部の長手方向の端部から「Ｈ」字状部１９の下方に延出している。
【００４２】
各「Ｌ」字状部２１のうちの他方の「Ｌ」字状部である第２の「Ｌ」字状部２１Ｂは、「Ｈ」字状部１９の中心を通って上下方向に延伸している直線Ｃ１に対して第１の「Ｌ」字状部２１Ａと対称になっている。
【００４３】
さらに説明すると、枠体１１の断面は、細長い矩形（幅が狭く長い矩形）な中央部２３と、この中央部２３の長手方向の左側に設けられた第１〜第３の側方部２５，２７，２９と、中央部２３の長手方向の右側に設けられた第４〜第６の側方部３１，３３，３５とで形成されている。各側方部２５〜３５の幅（長手方向に対して直交する方向の寸法）は、中央部２３の幅と同じになっている。
【００４４】
中央部２３と第１の側方部２５と第４の側方部３１とで「Ｈ」字状部１９を構成しており、第２の側方部２７と第３の側方部２９とで第１の「Ｌ」字状部２１Ａを構成しており、第５の側方部３３と第６の側方部３５とで第２の「Ｌ」字状部２１Ｂを構成している。
【００４５】
第１の側方部２５は、「Ｈ」字状部１９の左側の縦線を構成している。第１の側方部２５の長さは、中央部２３の長さよりも小さくなっている。中央部２３の長手方向と第１の側方部２５の長手方向とはお互いが直交している。第１の側方部２５は、この長手方向の中間部が中央部２３の左端に接続されている。中央部２３よりも上方に突出している第１の側方部２５の長さは、中央部２３よりも下方に突出している第１の側方部２５の長さよりも短くなっている。
【００４６】
第２の側方部２７は、第１の「Ｌ」字状部２１Ａの一方の辺部を構成している。第２の側方部２７の長さは、第１の側方部２５の長さとほぼ等しいか、第１の側方部２５の長さよりも短くなっている。第２の側方部２７の長手方向と中央部２３の長手方向とはお互いが一致している。第２の側方部２７は、この長手方向の中間部が第１の側方部２５の上端に接続されている。第１の側方部２５よりも右側に突出している第２の側方部２７の長さは、第１の側方部２５よりも左側に突出している第２の側方部２７の長さよりも短くなっている。
【００４７】
第３の側方部２９は、第１の「Ｌ」字状部２１Ａの他方の辺部を構成している。第３の側方部２９の長さは、第２の側方部２７の長さとほぼ等しいか、第２の側方部２７の長さよりも短くなっている。さらに、第３の側方部２９の長さは、第１の側方部２５の長さよりも短くなっている。第３の側方部２９の長手方向と第１の側方部２５の長手方向とはお互いが一致している。第３の側方部２９は、この長手方向の上端が第２の側方部２７の左端に接続されている。
【００４８】
第４の側方部３１は、中央部２３の中心を通って中央部２３の長手方向と直交する方向に延伸している直線Ｃ１に対して、第１の側方部２５と対称に設けられており、「Ｈ」字状部１９の右側の縦線を構成している。第５の側方部３３は、直線Ｃ１に対して、第２の側方部２７と対称に設けられており、第２の「Ｌ」字状部２１Ｂの一方の辺部を構成している。第６の側方部３５は、直線Ｃ１に対して、第３の側方部２９と対称に設けられており、第２の「Ｌ」字状部２１Ｂの他方の辺部を構成している。
【００４９】
ところで、枠体１１の長手方向の両端部は、図３（ｃ）等で示すように、斜めに切断されている。詳しく説明すると、枠体１１は、第２の側方部２７や第５の側方部３３側（「Ｈ」字状部１９の上側）が長く、第１の側方部２５や第４の側方部３１における端部であって第２の側方部２７や第５の側方部３３とは反対側に位置している端部の側（「Ｈ」字状部１９の下側）で短くなるように切断されている。この切断による切断面３７は、枠体１１の長手方向に対して、たとえば４５°の角度で交差している。
【００５０】
このように切断されていることで、枠体１１を所定の方向から見ると、枠体１１が等脚台形状に形成されている。上記所定の方向とは、枠体１１の断面（長手方向に対して直交する平面による断面）の中央部２３の長手方向（枠体集合体７の貫通孔１５の貫通方向）である。上記等脚台形は、高さに対して、上底や下底の長さが長い形状であって斜辺と下底との交差角度が４５°になっている。
【００５１】
そして、４本の枠体１１を突き合わせて矩形な環状の枠体集合体７を構成する場合、各枠体１１の長手方向に形成されている斜めの切断面３７同士がお互いに面接触するようになっている。
【００５２】
また、枠体１１を矩形な環状に組立ててフィルタ枠３を形成した場合、第２の側方部２７と第５の側方部３３とが、環状のフィルタ枠３の外側になり、第２の側方部２７の上端の辺（幅方向における一方の辺）と第５の側方部３３の上端の辺（幅方向における一方の辺）とが、環状の接触面１７を形成するようになっている。
【００５３】
ここで、枠体１１の断面とフィルタ枠３外周の凹部１３等との関係について説明する。
【００５４】
フィルタ枠３外周の凹部１３は、断面の中央部２３と第１の側方部２５と第４の側方部３１と第２の側方部２７や第５の側方部３３の延長線とで囲まれた矩形状の部位に対応して構成されている。なお、すでに理解されるように、フィルタ枠３の凹部１３は、矩形な環状に形成されている。
【００５５】
エアフィルタ本体１が設置される部位は、中央部２３と第１の側方部２５と第４の側方部３１とに対応して構成されている。詳しく説明すると、エアフィルタ本体１は、所定の高さの四角柱状に形成されており、フィルタ枠３にエアフィルタ本体１を設置すると、エアフィルタ本体１の４つの側面のそれぞれが、第１〜第４の枠体１１の中央部２３に相当する部位に接触し、エアフィルタ本体１の高さ方向の両面（底面、上面）の周辺部が、第１〜第４の枠体１１の第１の側方部２５と第１〜第４の枠体１１の第４の側方部３１とに相当する部位に接触して、エアフィルタ本体１がフィルタ枠３の中央に形成されている矩形な貫通孔１５に一体的に設置されるようになっている。
【００５６】
次に、フィルタ枠３同士を、たとえば図９で示すように、お互いに接続する場合について説明する。
【００５７】
枠体集合体７の凹部１３には、図１４等で示すように、複数のフィルタ枠３同士をお互いに接続するためのフィルタ枠連結体３９が設置可能に構成されている。そして、フィルタ枠連結体３９を用いて、複数のフィルタ枠３同士をお互いに接続した場合、フィルタ枠３同士の接続部では、フィルタ枠３同士が隙間の無い状態でお互いに密着している。
【００５８】
２つのフィルタ枠３同士をお互いに接続する場合を例に掲げて詳しく説明する。
【００５９】
図９等で示すように、１つのフィルタ枠（第１のフィルタ枠）３Ａは、矩形な環状に形成されており、前述したように、内側にエアフィルタ本体１が一体的に設置されるようになっている。他の１つのフィルタ枠（第２のフィルタ枠）３Ｂも、第１のフィルタ枠３Ａと同様に構成されている。
【００６０】
エアフィルタ本体１が設置された第１のフィルタ枠３Ａ（第１のエアフィルタユニット５Ａ）に、エアフィルタ本体１が設置された第２のフィルタ枠３Ｂ（第２のエアフィルタユニット５Ｂ）を接続して設置すると、第１のエアフィルタユニット５Ａと第２のエアフィルタユニット５Ｂとが隙間の無い状態でお互いに係合して横に並び一体化されるようになっている。
【００６１】
すなわち、第１のエアフィルタユニット５Ａの第４の枠体１１Ｄにおける接触面１７の全面と、第２のエアフィルタユニット５Ｂの第２の枠体１１Ｂにおける接触面１７の全面とがお互いに面接触して、第１のエアフィルタユニット５Ａと第２のエアフィルタユニット５Ｂとがお互いに接続されるようになっている。
【００６２】
第１のエアフィルタユニット５Ａと第２のエアフィルタユニット５Ｂとがお互いに接続するためには、たとえば、１つのフィルタ枠連結体３９が使用される。
【００６３】
さらに説明すると、図１４等で示すように、フィルタ枠連結体３９の一方の側に形成されている固定部４１が、１つの枠体連結体（第２のフィルタ枠３Ｂの第２の枠体１１Ｂと第３の枠体１１Ｃとをお互いに接続するために使用されている枠体連結体）９Ｂに一体的に固定されている。なお、この固定部４１は、第２のフィルタ枠３Ｂの凹部１３内に存在している。
【００６４】
また、フィルタ枠連結体３９の他方の側には係合部４３が形成されており、フィルタ枠連結体３９が上述したように１つの枠体連結体９Ｂに一体的に固定されている状態では、係合部４３は、図１５等で示すように、第２のフィルタ枠３Ｂの凹部１３から僅かに突出している。
【００６５】
この僅かに突出している係合部４３が、１つの枠体連結体（第１のフィルタ枠３Ａの第３の枠体１１Ｃと第４の枠体１１Ｄとをお互いに接続するために使用されている枠体連結体）９Ｃに係合することで、第１のエアフィルタユニット５Ａと第２のエアフィルタユニット５Ｂとがお互いに接続されるようになっている。なお、第１のエアフィルタユニット５Ａと第２のエアフィルタユニット５Ｂとがお互いに接続されている状態では、係合部４３は、第１のフィルタ枠３Ａの凹部１３内に存在している。
【００６６】
ここで、枠体連結体９についてさらに詳しく説明する。
【００６７】
枠体連結体９は、たとえば、枠体連結体本体部４５（図４〜図６等参照）と固定片４７（図７等参照）とを備えて構成されている。
【００６８】
枠体連結体本体部４５は、１つのフィルタ枠３の角部に設置されるので、１つのフィルタ枠３に４つ使用されるのであるが、各枠体連結体本体部４５はお互いが同形状に形成されている。また、枠体連結体本体部４５は、矩形な平板状の第１の当接部４９と矩形な平板状の第２の当接部５１と矩形な平板状の遷移部５３と矩形な平板状の固定片支持部（フィルタ枠連結体支持部）５５とを備えて構成されている。
【００６９】
第１の当接部４９と平板状の第２の当接部５１とはお互いが直交しており、枠体連結体本体部４５をこの長手方向から見ると、図５等で示すように、「Ｌ」字状になっている。遷移部５３は、第１の当接部４９から離れる側に、第２の当接部５１の先端部から僅かに突出している。固定片支持部５５は、第１の当接部４９から離れる側に、遷移部５３の先端部から平板状の第２の当接部５１と平行になって延出している。
【００７０】
また、枠体連結体本体部４５の強度を高めるために、第１の当接部４９や第２の当接部５１の長手方向の両端部にはリブ５７が設けられており、第１の当接部４９や第２の当接部５１の長手方向の中間部には、凸部５９が形成されている。なお、枠体連結体９を用いて枠体集合体９を一体化しフィルタ枠３を生成した場合、リブ５７が、枠体１１の第１の側方部２５に相当する部位、枠体１１の第２の側方部２７に相当する部位、枠体１１の第４の側方部３１に相当する部位、枠体１１の第５の側方部３３に相当する部位に当接し、枠体１１同士を堅固に固定するようになっている。
【００７１】
固定片４７は、図７で示すように、矩形な平板状の素材を、２つの曲げ線６１，６３のところで、僅かな角度だけ折り曲げた形状に形成されている。そして、２つの曲げ線６１，６３によって、矩形な平板状の基端部位６５と矩形な平板状の中間部位６７と矩形な平板状の先端部位６９とに区画されている。また、曲げ線６３のところには貫通孔７１が形成されている。
【００７２】
枠体連結体本体部４５を、図示しないボルト等の締結具を用いて枠体１１Ａに一体的に設置した状態では、図１３等で示すように、第１の当接部４９が枠体１１Ａに接触している。また、第１の当接部４９や締結具は、枠体１１Ａの凹部１３内に収まっている。また、第２の当接部５１は、枠体１１Ａの外で枠体１１Ａの長手方向と直交する方向に延出している。
【００７３】
枠体１１Ａに一体的に設置された枠体連結体本体部４５に、ボルト等の締結具を用いて固定片４７を一体的に設置した状態では、図１３等で示すように、固定片４７が、第２の当接部５１を延長した形態になっている。なお、固定片４７は、１つのフィルタ枠３に２つ使用される。すなわち、枠体１１Ａの長手方向の両端部に設置された枠体連結体本体部４５のそれぞれに固定片４７が設置されるようになっている。
【００７４】
ここで、枠体１１の着脱（たとえば、エアフィルタ本体１の交換のための着脱）について説明する。なお、フィルタ枠３を構成している３つの枠体１１Ｂ，１１Ｃ，１１Ｄは、２つの枠体連結体本体部４５を用いて（固定片４７は使用していない）、「コ」字状になっているものとする。すなわち、図１４や図１５で示すように、ボルト（図示せず）を用いて枠体１１Ｂに枠体連結体本体部４５の第１の当接部４９を固定し、ボルトを用いて枠体１１Ｃに枠体連結体本体部４５の第２の当接部５１を固定することで、３つの枠体１１Ｂ，１１Ｃ，１１Ｄが一体になっている。
【００７５】
まず、図１３で示す状態（枠体１１Ａが枠体１１Ｂ等から離れている状態）から、枠体１１Ａを枠体１１Ｂ等に設置する場合について説明する。なお、枠体１１Ｂには、樹脂等の材料で構成された円柱状の突起７３が一体的に設けられている。
【００７６】
図１３で示す状態から、矢印Ａ１３ａで示すように、枠体連結体９が設置されている枠体１１Ａを下降して、枠体１１Ｂに近づける。
【００７７】
枠体１１Ａの下降によって、まず、固定片４７の先端部（先端部位６９）が、枠体１１Ｂ（枠体１１Ｂの部位であって断面の中央部２３の相当する部位）が当接する。この当接により、固定片４７（固定片支持部５５を含む場合もある）が、矢印Ａ１３ｂの方向に弾性変形して撓む。
【００７８】
枠体１１Ａをさらに下降すると、突起７３が固定片４７の貫通孔７１に挿入されるとともに、枠体１１Ａの切断面３７と枠体１１Ｂの切断面３７とがお互いに面接触し、枠体１１Ａを枠体１１Ｂ等に設置される（図１０参照）。なお、枠体１１Ｄ側においても、同様の動作で枠体１１Ａの設置がなされる。
【００７９】
枠体１１Ａの枠体１１Ｂ等への設置がなされている状態では、固定片４７が枠体１１Ｂを押圧しているので、突起７３が固定片４７の貫通孔７１から容易に抜け出ることは無く、枠体１１Ａが枠体１１Ｂ等から容易に離れることはない。
【００８０】
枠体１１Ａを枠体１１Ｂ等から離す場合には、枠体１１Ｂから離れる側に固定片４７を弾性変形させて、貫通孔７１を突起７３から離し、この後、枠体連結体９が設置されている枠体１１Ａを上昇して、枠体１１Ｂから離す。
【００８１】
なお、図１０で示す状態では、枠体連結体本体部４５の第１の当接部４９は、枠体１１Ａの凹部１３の内に存在しており、突起７３と枠体連結体本体部４５の第２の当接部５１と固定片４７とは、枠体１１Ｂの凹部１３の内に存在している。
【００８２】
次に、フィルタ枠連結体３９について詳しく説明する。
【００８３】
フィルタ枠連結体３９は、たとえば平板状の金属（たとえば鋼のミガキ材等）の素材をプレス加工にすることで生成されている。
【００８４】
フィルタ枠連結体３９は、図８（ｃ）で示すように、この長手方向から見ると、２つの「Ｌ」字をつなげて階段状にした形状になっている。
【００８５】
２つの「Ｌ」字状部のうちの一方の「Ｌ」字状部は、基端部位７５（固定部４１）を形成しており、他方の「Ｌ」字状部は、先端部位７７（係合部４３）を形成している。そして、基端部位７５が、枠体連結体本体部４５の固定片支持部５５に係合し、フィルタ枠連結体３９が、枠体連結体本体部４５に一体的に設置されるようになっている。
【００８６】
フィルタ枠連結体３９が設置されている枠体連結体本体部４５を枠体１１に設置した状態では、図１５で示すように、枠体連結体本体部４５とフィルタ枠連結体３９の基端部位７５とは、枠体１１の凹部１３内に存在しており、フィルタ枠連結体３９の先端部位７７は、枠体１１の凹部１３の外側に僅かに突出している。
【００８７】
ここで、フィルタ枠連結体３９を用いたフィルタ枠３Ａとフィルタ枠３Ｂとの接続について説明する。
【００８８】
まず、図１５に示すように、フィルタ枠３Ａが、フィルタ枠連結体３９が設置されているフィルタ枠３Ｂから離れているものとする。
【００８９】
この状態で、フィルタ枠３Ｂを僅かに上昇して、この上昇をしたまま、フィルタ枠３Ｂの枠体１１Ｂがフィルタ枠３Ａの枠体１１Ｄの当接するまで、フィルタ枠３Ａに近づける。この後、フィルタ枠３Ｂを下降する。この下降により、フィルタ枠連結体３９の先端部位７７が、フィルタ枠３Ａの枠体連結体本体部４５の固定片支持部５５に係合し、各フィルタ枠３Ａ,３Ｂ同士が連結されて一体化される。
【００９０】
お互いが連結されている各フィルタ枠３Ａ,３Ｂを分離する場合は、上記操作と逆の操作をすればよい。
【００９１】
フィルタ枠３によれば、各枠体１１（枠体集合体７）を連結している枠体連結体９が、枠体集合体７の凹部１３内に設けられているので、枠体集合体７の外周部からの突出が無くなり（枠体集合体７の外周が、僅かな突出物も一切存在しない状態になっており、）エアフィルタ本体１が設置されたフィルタ枠３（エアフィルタユニット５）を空調機等の機器に設置したとき等において、エアフィルタユニット５の外周に隙間が発生しなくなる。これにより、エアフィルタ本体１（エアフィルタユニット５）を通らない空気の流れ（隙間を通る空気の流れ）が無くなり、空気に存在している塵埃の除去をエアフィルタ本体１により効率良く確実に行うことができる。
【００９２】
また、フィルタ枠３によれば、枠体連結体９が、枠体１１の端部で枠体１１に着脱自在に設けられているので、「ロ」字状のフィルタ枠３の組立と「ロ」字状のフィルタ枠３からの枠体１１の分離とが容易であり、フィルタ枠３へのエアフィルタ本体１の設置、フィルタ枠３に設置されているエアフィルタ本体１の除去、交換がしやすくなる。
【００９３】
また、各枠体１１の断面形状が同じ形状になっているので、枠体１１の製造が容易であり、４つの枠体連結体９がほぼ同じ形状になっているので、枠体連結体９の製造コストを低減させることができるとともに、フィルタ枠３の組立が容易になる。
【００９４】
また、フィルタ枠３によれば、枠体１１の断面が上述したように、１つの「Ｈ」字状部１９と一対の「Ｌ」字状部２１とを備えており、枠体集合体７が中心面（枠体集合体７の中心を通って枠体集合体７中央の貫通孔１５の貫通方向に対して直交している平面）に対して対称になっているので、フィルタ枠３の組立をするときに枠体１１の方向性を考慮する手間が軽減され、フィルタ枠３の組立が容易になる。
【００９５】
また、枠体１１の断面が一対の「Ｌ」字状部２１を備えていることで、フィルタ枠３外周の環状の接触面（空調機の設置面と面接触する面）１７の面積が大きくなっており、枠体集合体７の接触面１７と、空調機の設置面との間での空気の漏れを確実に防止することができる。
【００９６】
また、フィルタ枠３によれば、フィルタ枠連結体３９を用いて、複数のフィルタ枠３同士をお互いに接続した場合、フィルタ枠３同士の接続部でフィルタ枠３同士がお互いが密着しており、お互いが接続されている１つのフィルタ枠３Ａと他の１つのフィルタ枠３Ｂとの間に、別途シール材を設けることなく、フィルタ枠３同士の接続部でのエアー漏れを無くすことができる。
【００９７】
また、シール材を設けていないので、フィルタ枠３同士をつなげてもシール材のスペースが不要になり、フィルタ枠３の仕様を変えることなく、空調機等にエアフィルタユニット５を設置することができる。
【００９８】
２つのフィルタ枠３をお互いに連結して使用する場合、２つのフィルタ枠３の設置スペースは、１つのフィルタ枠３の設置スペースの２倍でよく、シール部材の分だけ設置スペースを広げる必要がなく、空調機におけるエアフィルタユニット５の設置スペースの確保が容易になる。また、空調機において１つのフィルタ枠３の設置スペースの２倍の設置スペースしか確保できない場合にあっては、フィルタ枠３の寸法を小さくする必要がなくなり、フィルタ枠３の仕様の共通化をはかることができ、フィルタ枠３の在庫を縮小することができる。
【００９９】
なお、すでに理解されるように、フィルタ枠３を３つ以上の複数個つなげて使用するようにしてもよい。また、枠体１１の断面形状を適宜変更してもよい。たとえば、枠体１１の断面形状は、１つの「Ｈ」字状部１９と２つの「Ｌ」字状部２１とで構成されている（中央部２３と第１〜第６の側方部２５〜３５とで構成されている）が、断面が、側方部を適宜削除した形状になっていてもよい。
【０１００】
具体的には、枠体１１の断面を、第３の側方部２９を削除するか、第２の側方部２７第３の側方部２９とを削除するか、第３の側方部２９と第６の側方部３５とを削除するか、第２の側方部２７第３の側方部２９と第６の側方部３５とを削除するか、第２の側方部２７第３の側方部２９と第５の側方部３３と第６の側方部３５とを削除した構成であってもよい。
【符号の説明】
【０１０１】
３  フィルタ枠
７  枠体集合体
９  枠体連結体
１１  枠体
１３  凹部
１９  「Ｈ」字状部
２１  「Ｌ」字状部
３９  フィルタ枠連結体
【図１】
0005677057.tif 000002
【図２】
0005677057.tif 000003
【図３】
0005677057.tif 000004
【図４】
0005677057.tif 000005
【図５】
0005677057.tif 000006
【図６】
0005677057.tif 000007
【図７】
0005677057.tif 000008
【図８】
0005677057.tif 000009
【図９】
0005677057.tif 000010
【図１０】
0005677057.tif 000011
【図１１】
0005677057.tif 000012
【図１２】
0005677057.tif 000013
【図１３】
0005677057.tif 000014
【図１４】
0005677057.tif 000015
【図１５】
0005677057.tif 000016
【図１６】
0005677057.tif 000017